(57)【要約】【課題】入金者又は回収元に応じて合計いくらの売上金を入金したかを容易に把握する。【解決手段】有価媒体処理装置１００は、貨幣を含む有価媒体を入金するための入金部２１，２２，４１，４２と、入金部２１，２２，４１，４２に入金された有価媒体の入金者又は入金部２１，２２，４１，４２に入金された有価媒体の回収元を特定する入金特定情報を取得する読取部７５と、入金特定情報に紐づけて入金情報を記憶する記憶部８０と、同一の入金特定情報からなる入金情報を集計して入金集計情報を生成する全体制御部７０と、入金集計情報を出力する印刷部８２と、を備える。【選択図】図６
2015141699.tif 000002
【特許請求の範囲】
【請求項１】
貨幣を含む有価媒体を入金するための入金部と、
前記入金部に入金された有価媒体の入金者又は前記入金部に入金された有価媒体の回収元を特定する入金特定情報を取得する取得部と、
前記入金特定情報に紐づけて入金情報を記憶する記憶部と、
同一の入金特定情報からなる入金情報を集計して入金集計情報を生成する集計部と、
前記入金集計情報を出力する出力部と、
を備えたことを特徴とする有価媒体処理装置。
【請求項２】
前記集計部は、最新の取引と同じ入金特定情報からなる入金情報を集計して前記入金集計情報を生成することを特徴とする請求項１に記載の有価媒体処理装置。
【請求項３】
前記集計部は、所定期間の入金情報を集計して前記入金集計情報を生成することを特徴とする請求項１又は２のいずれかに記載の有価媒体処理装置。
【請求項４】
前記出力部は、個々の入金取引に関する入金個別情報も出力することを特徴とする請求項１乃至３のいずれか１項に記載の有価媒体処理装置。
【請求項５】
前記出力部は、印刷部、表示部及びデータ送信部の少なくともいずれか１つからなることを特徴とする請求項１乃至４のいずれか１項に記載の有価媒体処理装置。
【請求項６】
前記入金部から入金された貨幣を収納するための収納部と、
前記収納部から繰り出された貨幣を出金するための出金部と、
をさらに備え、
前記出力部は、前記出金部から出金された貨幣の出金情報を出力することを特徴とする請求項１乃至５のいずれか１項に記載の有価媒体処理装置。
【請求項７】
前記入金部から入金された貨幣を収納するための収納部と、
前記収納部から繰り出された貨幣を出金するための出金部と、
をさらに備え、
前記出力部は、両替された貨幣の両替情報を出力することを特徴とする請求項１乃至６のいずれか１項に記載の有価媒体処理装置。
【請求項８】
前記取得部が前記入金特定情報を取得すると、前記取得部で取得された入金特定情報に紐付けられた入金集計情報を前記出力部が出力することを特徴とする請求項１乃至７のいずれか１項に記載の有価媒体処理装置。
【請求項９】
前記出力部は表示部であり、
前記表示部は、前記入金集計情報を所定時間だけ表示すると、自動で前記入金集計情報の表示を停止することを特徴とする請求項１乃至８のいずれか１項に記載の有価媒体処理装置。
【請求項１０】
貨幣を収納するための収納部と、
前記収納部から繰り出された貨幣を出金するための出金部と、
前記出金部から貨幣を出金した出金者又は前記出金部から出金した貨幣の補充先を特定する出金特定情報を取得する取得部と、
前記出金特定情報に紐づけて出金情報を記憶する記憶部と、
同一の出金特定情報からなる出金情報を集計して出金集計情報を生成する集計部と、
前記出金集計情報を出力する出力部と、
を備えたことを特徴とする有価媒体処理装置。
【請求項１１】
貨幣を入金するための入金部と、
前記入金部から入金された貨幣を識別するための識別部と、
前記識別部で識別された貨幣を収納するための収納部と、
前記収納部から繰り出された貨幣を出金するための出金部と、
前記入金部から貨幣を入金し前記出金部から貨幣を出金した両替者又は両替元を特定する両替特定情報を取得する取得部と、
前記両替特定情報に紐づけて両替情報を記憶する記憶部と、
同一の両替特定情報からなる両替情報を集計して両替集計情報を生成する集計部と、
前記両替集計情報を出力する出力部と、
を備えたことを特徴とする有価媒体処理装置。
【請求項１２】
有価媒体を入金するための入金部を有する有価媒体処理装置を含む有価媒体処理システムであって、
前記入金部に入金された有価媒体の入金者又は前記入金部に入金された有価媒体の回収元を特定する入金特定情報を取得する取得部と、
前記入金特定情報に紐づけて入金情報を記憶する記憶部と、
同一の入金特定情報からなる入金情報を集計して入金集計情報を生成する集計部と、
前記入金集計情報を出力する出力部と、
を備えたことを特徴とする有価媒体処理システム。
【請求項１３】
複数の前記有価媒体処理装置を含むことを特徴とする請求項１２に記載の有価媒体処理システム。
【請求項１４】
有価媒体処理装置を用いた有価媒体処理方法において、
入金部から有価媒体を入金することと、
前記入金部に入金された有価媒体の入金者又は前記入金部に入金された有価媒体の回収元を特定する入金特定情報を取得することと、
記憶部で、前記入金特定情報に紐づけて入金情報を記憶することと、
同一の入金特定情報からなる入金情報を集計して入金集計情報を生成することと、
前記入金集計情報を出力することと、
を備えたことを特徴とする有価媒体処理方法。
【発明の詳細な説明】
【技術分野】
【０００１】
本発明は、有価媒体を処理する有価媒体処理装置、有価媒体処理システム及び有価媒体処理方法に関する。
【背景技術】
【０００２】
従来から、貨幣を入金するための入金部と、入金部から入金された貨幣を識別するための識別部と、入金部から入金された貨幣の搬送を行う搬送部と、搬送部で搬送された貨幣を収納する収納部と、を備えた貨幣処理装置が知られている（例えば特許文献１参照）。このような貨幣処理装置に売上金等を入金する場合には、入金処理の度に、例えばIDカード等を読み取らせることによる認証を行い、その後で売上金を貨幣処理装置へ投入し、その後で売上金等を印刷したジャーナル等の印刷物を印刷すること等を順次繰り返すこととなる。そして、ジャーナル等の印刷物は、入金処理毎に印刷されることとなる。
【先行技術文献】
【特許文献】
【０００３】
【特許文献１】特開２０１０−２６２５６８号公報
【発明の概要】
【発明が解決しようとする課題】
【０００４】
入金者等の中には、複数回の入金処理を行った場合に合計いくらの売上金を貨幣処理装置に入金したか知りたいというニーズがある。従来の貨幣処理装置において、このような売上金の合計を知るには、印刷されたジャーナル等の印刷物に基づいて実際に計算することとなるが、計算が面倒であるうえ、誤って計算してしまう可能性もある。
【０００５】
本発明のうちの一つの態様は、このような点を鑑みてなされたものであり、入金者又は回収元に応じて合計いくらの売上金を入金したかを容易に把握することができる有価媒体処理装置、有価媒体処理システム及び有価媒体処理方法を提供する。
【課題を解決するための手段】
【０００６】
本発明の第１の態様による有価媒体処理装置は、
貨幣を含む有価媒体を入金するための入金部と、
前記入金部に入金された有価媒体の入金者又は前記入金部に入金された有価媒体の回収元を特定する入金特定情報を取得する取得部と、
前記入金特定情報に紐づけて入金情報を記憶する記憶部と、
同一の入金特定情報からなる入金情報を集計して入金集計情報を生成する集計部と、
前記入金集計情報を出力する出力部と、
を備える。
【０００７】
本発明の第１の態様による有価媒体処理装置において、
前記集計部は、最新の取引と同じ入金特定情報からなる入金情報を集計して前記入金集計情報を生成してもよい。
【０００８】
本発明の第１の態様による有価媒体処理装置において、
前記集計部は、所定期間の入金情報を集計して前記入金集計情報を生成してもよい。
【０００９】
本発明の第１の態様による有価媒体処理装置において、
前記出力部は、個々の入金取引に関する入金個別情報も出力してもよい。
【００１０】
本発明の第１の態様による有価媒体処理装置において、
前記出力部は、印刷部、表示部及びデータ送信部の少なくともいずれか１つからなってもよい。
【００１１】
本発明の第１の態様による有価媒体処理装置は、
前記入金部から入金された貨幣を収納するための収納部と、
前記収納部から繰り出された貨幣を出金するための出金部と、
をさらに備え、
前記出力部が、前記出金部から出金された貨幣の出金情報を出力してもよい。
【００１２】
本発明の第１の態様による有価媒体処理装置は、
前記入金部から入金された貨幣を収納するための収納部と、
前記収納部から繰り出された貨幣を出金するための出金部と、
をさらに備え、
前記出力部が、両替された貨幣の両替情報を出力してもよい。
【００１３】
本発明の第１の態様による有価媒体処理装置において、
前記取得部が前記入金特定情報を取得すると、前記取得部で取得された入金特定情報に紐付けられた入金集計情報を前記出力部が出力してもよい。
【００１４】
本発明の第１の態様による有価媒体処理装置において、
前記出力部は表示部であり、
前記表示部は、前記入金集計情報を所定時間だけ表示すると、自動で前記入金集計情報の表示を停止してもよい。
【００１５】
本発明の第２の態様による有価媒体処理装置は、
貨幣を収納するための収納部と、
前記収納部から繰り出された貨幣を出金するための出金部と、
前記出金部から貨幣を出金した出金者又は前記出金部から出金した貨幣の補充先を特定する出金特定情報を取得する取得部と、
前記出金特定情報に紐づけて出金情報を記憶する記憶部と、
同一の出金特定情報からなる出金情報を集計して出金集計情報を生成する集計部と、
前記出金集計情報を出力する出力部と、
を備える。
【００１６】
本発明の第３の態様による有価媒体処理装置は、
貨幣を入金するための入金部と、
前記入金部から入金された貨幣を識別するための識別部と、
前記識別部で識別された貨幣を収納するための収納部と、
前記収納部から繰り出された貨幣を出金するための出金部と、
前記入金部から貨幣を入金し前記出金部から貨幣を出金した両替者又は両替元を特定する両替特定情報を取得する取得部と、
前記両替特定情報に紐づけて両替情報を記憶する記憶部と、
同一の両替特定情報からなる両替情報を集計して両替集計情報を生成する集計部と、
前記両替集計情報を出力する出力部と、
を備える。
【００１７】
本発明の第１の態様による有価媒体処理システムは、
有価媒体を入金するための入金部を有する有価媒体処理装置を含む有価媒体処理システムであって、
前記入金部に入金された有価媒体の入金者又は前記入金部に入金された有価媒体の回収元を特定する入金特定情報を取得する取得部と、
前記入金特定情報に紐づけて入金情報を記憶する記憶部と、
同一の入金特定情報からなる入金情報を集計して入金集計情報を生成する集計部と、
前記入金集計情報を出力する出力部と、
を備える。
【００１８】
本発明の第１の態様による有価媒体処理システムは、
複数の前記有価媒体処理装置を含んでもよい。
【００１９】
本発明の第１の態様による有価媒体処理方法は、
有価媒体処理装置を用いた有価媒体処理方法であって、
入金部から有価媒体を入金することと、
前記入金部に入金された有価媒体の入金者又は前記入金部に入金された有価媒体の回収元を特定する入金特定情報を取得することと、
記憶部で、前記入金特定情報に紐づけて入金情報を記憶することと、
同一の入金特定情報からなる入金情報を集計して入金集計情報を生成することと、
前記入金集計情報を出力することと、
を備える。
【発明の効果】
【００２０】
本発明の第１の態様によれば、取得部が入金部に入金された貨幣の入金者又は入金部に入金された貨幣の回収元を特定する入金特定情報を取得し、集計部が同一の入金特定情報からなる入金情報を集計して入金集計情報を生成し、出力部がこのようにして生成された入金集計情報を出力する。このため、操作者は、入金者又は回収元に応じて合計いくらの売上金を入金したかを容易に把握することができる。
【図面の簡単な説明】
【００２１】
【図１】図１は、本発明の第１の実施の形態による有価媒体処理システムの全体構成の一例を示す概略図である。
【図２】図２は、本発明の第１の実施の形態による有価媒体処理システムの全体構成の別の例を示す概略図である。
【図３】図３は、本発明の第１の実施の形態による有価媒体処理システムの全体構成のさらに別の例を示す概略図である。
【図４】図４は、本発明の第１の実施の形態による有価媒体処理装置の外観を示す斜視図である。
【図５】図５は、本発明の第１の実施の形態による有価媒体処理装置の内部構成を模式的に示す側方断面図である。
【図６】図６は、本発明の第１の実施の形態による有価媒体処理装置の制御ブロック図である。
【図７Ａ】図７Ａ（ａ）（ｂ）は、本発明の第１の実施の形態で用いられる操作表示部における画面遷移の一例を示した図である。
【図７Ｂ】図７Ｂ（ａ）−（ｃ）は、図７Ａ（ｂ）から遷移した操作表示部における画面遷移の一例を示した図である。
【図７Ｃ】図７Ｃ（ａ）−（ｃ）は、図７Ｂ（ａ）−（ｃ）から遷移した操作表示部における画面遷移の一例を示した図である。
【図８】図８（ａ）−（ｃ）は、本発明の第１の実施の形態で用いられる印刷部で印刷された印刷物の一例を示した図である。
【図９】図９は、本発明の第１の実施の形態による有価媒体処理装置で複数回の入金処理が行われた際の流れの一例を示した図である。
【図１０】図１０は、本発明の第１の実施の形態による有価媒体処理装置で複数回の入金処理が行われた際の流れの別の例を示した図である。
【図１１】図１１（ａ）−（ｄ）は、本発明の第１の実施の形態で採用されうる有価媒体処理システムの一例を示した概略図である
【図１２】図１２は、本発明の第１の実施の形態で採用されうる有価媒体処理システムの別の例を示した概略図である
【図１３】図１３は、本発明の第１の実施の形態で採用されうる有価媒体処理システムで複数回の入金処理が行われた際の流れの一例を示した図である。
【図１４】図１４は、本発明の第２の実施の形態による有価媒体処理装置の外観を示す斜視図である。
【図１５】図１５は、本発明の第２の実施の形態による有価媒体処理装置が備えた紙葉類処理部の内部構成を示す側方断面図である。
【図１６】図１６は、本発明の第２の実施の形態による有価媒体処理装置が備えた硬貨処理部の内部構成を示す側方断面図である。
【発明を実施するための形態】
【００２２】
第１の実施の形態
《構成》
以下、本発明に係る有価媒体処理装置、有価媒体処理システム及び有価媒体処理方法の第１の実施の形態について、図面を参照して説明する。ここで、図１乃至図１３は本発明の第１の実施の形態を説明するための図である。なお、本実施の形態で示す装置の構成は、一例であることには留意が必要である。
【００２３】
本実施の形態では有価媒体処理装置１００として、有価媒体を入金するための有価媒体入金装置を用いて説明するが、これはあくまでも一例であり、有価媒体入出金装置、貨幣両替機等の様々な有価媒体処理装置１００を用いることができる点には留意が必要である。ところで、本願において「有価媒体」とは、紙幣、硬貨、小切手、商品券、バーコードチケット、チップ、コイン等のことを意味するが、本実施の形態では、主に、紙幣、硬貨、商品券を利用した態様を用いて説明する。また、本願において「貨幣」とは、硬貨、紙幣、並びに、硬貨及び紙幣の両方のことを意味する。なお、本願の有価媒体処理装置１００、有価媒体処理システム及び有価媒体処理方法には、貨幣のみを処理対象とする貨幣処理装置、貨幣処理システム及び貨幣処理方法も含まれることには留意が必要である。
【００２４】
［全体のシステム構成］
まず、全体のシステム構成について説明する。
【００２５】
スーパーマーケットを例に取ると、図１に示すように、一般にスーパーマーケットには、商品を陳列した商品陳列棚等の商品陳列部２８０のある売り場と、売り場に併設されたレジコーナーとがある。このレジコーナーに、ＰＯＳレジスタ２５０と、ＰＯＳレジスタ２５０に接続された貨幣釣銭機２００が設置されている。この貨幣釣銭機２００は、硬貨を処理する硬貨釣銭機２１０と、紙幣を処理する紙幣釣銭機２２０と、を備えている。なお、硬貨釣銭機２１０と紙幣釣銭機２２０とは別体となっていてもよいが一体となっていてもよい。基本的には、ＰＯＳレジスタ２５０と貨幣釣銭機２００とが一対一の関係で設置されている。レジコーナーには、１組以上のＰＯＳレジスタ２５０と貨幣釣銭機２００が設置されており、図１に示した態様では４組のＰＯＳレジスタ２５０と貨幣釣銭機２００が設置されている。
【００２６】
上述した売り場及びレジコーナーから区切られた空間に出納室がある。この出納室内に、貨幣釣銭機２００から回収された紙幣、商品券、硬貨等の有価媒体の入金を行うための一つ又は複数の有価媒体処理装置１００が設置されている。この有価媒体処理装置１００には、有価媒体処理装置１００を管理する管理装置１５０が接続されてる。有価媒体処理装置１００に入金された紙幣、商品券、硬貨等の有価媒体は、例えば、警送会社によって回収されることとなる。ところで、出納室内には、上述した有価媒体処理装置１００の代わりに又は有価媒体処理装置１００に加えて、貨幣等の有価媒体を出金する出金部３１，５１（後述する）を備え、貨幣釣銭機２００から回収された有価媒体の入金を行だけではなく出金処理を行うこともできる一つ又は複数の有価媒体入出金機４００が設置されていてもよい。この有価媒体入出金機４００については、後述する第２の実施の形態で説明する。
【００２７】
次にショッピングセンターを例に取ると、図２に示すように、ショッピングセンターには、ショッピングセンターを経営する会社の権限下にある直営店と、ショッピングセンターを経営する会社以外の会社の権限下にあるテナント店とがある。直営店には、一組又は複数組のＰＯＳレジスタ２５０と貨幣釣銭機２００（より具体的には、硬貨釣銭機２１０及び紙幣釣銭機２２０）が設置されている。また、テナント店にも、一組又は複数組のＰＯＳレジスタ２５０と貨幣釣銭機２００が設置されている。さらには、貨幣釣銭機２００が設置されていない店舗があってもよく（図２の右下のテナントを参照）、このような店舗では、貨幣はＰＯＳレジスタ２５０のドロア等に保管される。
【００２８】
上述したショッピングセンターの出納室に、貨幣釣銭機２００やＰＯＳレジスタ２５０のドロア等から回収された紙幣、商品券、硬貨等の有価媒体の入金を行うための一つ又は複数の有価媒体処理装置１００が設置されている。この有価媒体処理装置１００には、有価媒体処理装置１００を管理する管理装置１５０が接続されている。ショッピングセンターにおいても、有価媒体処理装置１００に入金された紙幣、商品券、硬貨等の有価媒体は、例えば、警送会社によって回収されて、現金センター等に搬送されることとなる。ところで、ショッピングセンターの出納室内にも、上述した有価媒体処理装置１００の代わりに又は有価媒体処理装置１００に加えて、貨幣等の有価媒体を出金する出金部３１，５１（後述する）を備え、貨幣釣銭機２００から回収された有価媒体の入金を行だけではなく出金処理を行うこともできる一つ又は複数の有価媒体入出金機４００が設置されていてもよい。
【００２９】
次に自動販売機３００等から貨幣を回収する営業所を例に取ると、図３に示すように、営業所には、回収作業員によって所定のルートに沿って複数の自動販売機３００等から回収された貨幣の入金を行うための一つ又は複数の有価媒体処理装置１００と、有価媒体処理装置１００に接続された管理装置１５０とが設置されている。ところで、このような営業所にも、上述した有価媒体処理装置１００の代わりに又は有価媒体処理装置１００に加えて、貨幣を出金する出金部３１，５１（後述する）を備え、自動販売機３００から回収された貨幣の入金を行だけではなく出金処理を行うこともできる一つ又は複数の有価媒体入出金機４００が設置されていてもよい。
【００３０】
［有価媒体処理装置１００の構成］
次に、有価媒体処理装置１００の構成について説明する。
【００３１】
図４に示すように、有価媒体処理装置１００は筐体１１を有している。そして、有価媒体処理装置１００を前面から見て筐体１１の右側に紙幣、商品券等の紙葉類を処理するための紙葉類処理部２０が位置している。また、有価媒体処理装置１００を前面から見て筐体１１の左側に硬貨を処理するための硬貨処理部４０が位置している。また、有価媒体処理装置１００の筐体１１の下部には、紙葉類及び硬貨を収容するための収容部６０が設けられている。
【００３２】
まず紙葉類処理部２０の構成について、図４及び図５を用いて説明する。なお、図５においては、紙葉類処理部２０の構成と硬貨処理部４０の構成を１枚の図面に表示するために、紙葉類処理部２０及び硬貨処理部４０の両者が前後に位置するように模式的に描かれていることには留意が必要である。紙葉類処理部２０は、入金する紙葉類を複数枚一括して受け入れ可能な紙葉類受入部２１と、紙葉類受入部２１で受け入れた紙葉類のうち後述する紙葉類識別部２５で識別できなかった紙葉類を返却するための紙葉類リジェクト部２９と、を有し、これらの紙葉類受入部２１及び紙葉類リジェクト部２９が筐体１１の前面上部の右側で上から順に設置されている。なお、紙葉類リジェクト部２９は前面が開放しており、外部から収容された紙葉類を取り出すことができるようになっている。
【００３３】
紙葉類処理部２０は、紙葉類受入部２１で受け入れられた紙葉類を筐体１１内に（図５の右方向へ向けて）１枚ずつ紙葉類を繰り出す紙葉類繰出部２２と、この紙葉類繰出部２２から１枚ずつ繰り出される紙葉類を受け入れて搬送する紙葉類搬送部２３と、この紙葉類搬送部２３により搬送される紙幣の金種、真偽、正損等や、商品券の番号等の識別を行う紙葉類識別部２５と、を有している。紙葉類識別部２５は紙葉類搬送部２３で搬送される紙幣、商品券等の紙葉類のイメージを取得するイメージセンサを有している。
【００３４】
紙葉類搬送部２３には、所定枚数（例えば１００枚）までの紙葉類を収容するための紙葉類スタッカ２８と、上述した紙葉類リジェクト部２９が連結されている。なお、紙葉類搬送部２３には、この紙葉類搬送部２３で搬送される紙葉類を適宜分岐する複数の紙葉類分岐部３９が設けられている。本実施の形態の紙葉類スタッカ２８にはシャッタ２８ａが設けられており、シャッタ２８ａが開状態になると外部から紙葉類スタッカ２８内に収納された紙葉類を取り出すことができ、他方、シャッタ２８ａが閉状態になると外部から紙葉類スタッカ２８内に収納された紙葉類を取り出すことができなくなる。
【００３５】
また、紙葉類搬送部２３には、紙葉類搬送部２３から送り込まれる紙葉類を一時的に保留する紙葉類一時保留部２６が連結されている。本実施の形態では、紙葉類一時保留部２６は、二つの紙葉類一時保留部２６ａ，２６ｂを有しており、より具体的には、前方側（図５の左側）に配置された第一紙葉類一時保留部２６ａと、後方側（図５の右側）に配置された第二紙葉類一時保留部２６ｂと、を有している。各紙葉類一時保留部２６は、その底面が開放可能となっている。そして、例えば操作表示部７１に表示された完了ボタンを押下することで入金金額等について承認されると、各紙葉類一時保留部２６の底面が開放され、その結果、第一紙葉類一時保留部２６ａに収納されている紙葉類は後述する第一紙葉類カセット６１ａに送り込まれ、第二紙葉類一時保留部２６ｂに収納されている紙葉類は後述する第二紙葉類カセット６１ｂに送り込まれることとなる。他方、例えば操作表示部７１に表示された非承認ボタンを押下したり一定時間にわたり完了ボタンを押下しないこと等によって入金金額等について非承認となったと紙葉類制御部３０（後述する）が判断すると、図示されないロック機構が解除されて、前面扉２７（図４参照）を開くことで第一紙葉類一時保留部２６ａ内に収容された紙葉類を取り出すことができる。また、このようにロック機構を解除して前面扉２７を開くことで、第一紙葉類一時保留部２６ａ及び第二紙葉類一時保留部２６ｂを一体として筐体１１から引き出すことができ、引き出した第二紙葉類一時保留部２６ｂ内に収容された紙葉類を上方から取り出すことができる。
【００３６】
上述した収容部６０は、開閉可能な開閉扉６３と、開閉扉６３の後方側に設けられた収容空間６２と、当該収容空間６２に対して着脱自在に設置され、紙葉類を収容するための紙葉類収容カセット６１と、当該収容空間６２に対して着脱自在に設置され、硬貨を収容するための硬貨収容カセット６６と、を有している。この紙葉類収容カセット６１は、第一紙葉類一時保留部２６ａで一時保留された紙葉類を収容することができる第一紙葉類カセット６１ａと、第二紙葉類一時保留部２６ｂで一時保留された紙葉類を収容することができる第二紙葉類カセット６１ｂと、を有している。開閉扉６３は閉状態でロックすることができるようになっている。
【００３７】
また、本実施の形態の紙葉類処理部２０は、例えばインクジェットプリンタ等からなる消し込み部７７を有している。この消し込み部７７は、商品券に例えば回収済みであることを示す所定の内容を印刷するようになっている。なお、この消し込み部７７によって商品券に所定の内容を印刷するか否かについては、操作表示部７１を操作することで切り換えることができるようになっている。
【００３８】
次に、硬貨処理部４０の構成について図４及び図５を用いて説明する。硬貨処理部４０は、入金する硬貨を受け入れる硬貨受入部４１と、硬貨受入部４１で受け入れた硬貨のうち後述する硬貨識別部４５で識別できなかった硬貨等をリジェクトするための硬貨リジェクト部４９と、硬貨受入部４１で受け入れた硬貨を収容する前に入金がキャンセルされた場合に当該硬貨を返却するための硬貨返却部４７と、を有している。
【００３９】
また、図５に示すように、硬貨処理部４０は、硬貨受入部４１で受け入れられた硬貨を筐体１１内に１枚ずつ繰り出す硬貨繰出部４２と、この硬貨繰出部４２から１枚ずつ繰り出される硬貨を受け入れて搬送する硬貨搬送部４３と、この硬貨搬送部４３により搬送される硬貨の金種、真偽、正損等の識別を行う硬貨識別部４５と、を有している。また、硬貨搬送部４３には、この硬貨搬送部４３で搬送される硬貨を適宜分岐する複数の硬貨分岐部５９が設けられている。また、硬貨搬送部４３には、硬貨分岐部５９で分岐されたリジェクト硬貨を案内するためのリジェクトシュート４９ａが設けられており、リジェクト硬貨は当該リジェクトシュート４９ａを落下して硬貨リジェクト部４９へと導かれる。
【００４０】
また、硬貨搬送部４３には、硬貨搬送部４３から送り込まれる硬貨を一時的に保留し、当該硬貨の収容時には硬貨を下方の収容部６０側に移動させ、他方、当該硬貨の返却時には硬貨を下方の硬貨返却部４７に移動させる硬貨一時保留部４６が連結されている。各硬貨一時保留部４６は、下面が開放した枠体と、枠体の下面を覆うようにして設けられた底板と、を有している。そして、例えば操作表示部７１に表示された完了ボタンを押下することで入金金額等について承認されると、枠体が硬貨収容カセット６６側へ移動して、硬貨一時保留部４６内の硬貨が硬貨収容カセット６６内に送り込まれる。他方、例えば操作表示部７１に表示された非承認ボタンを押下したり一定時間にわたり完了ボタンを押下しないこと等によって入金金額等について非承認となったと硬貨制御部５０（後述する）が判断すると、底板が水平方向に移動して、硬貨一時保留部４６内の硬貨が硬貨返却部４７に送り込まれる。なお、本実施の形態では、硬貨一時保留部４６が第一硬貨一時保留部４６ａと第二硬貨一時保留部４６ｂを有する態様となっているが、これはあくまでも一例であり、硬貨一時保留部４６は各金種に対応した複数（例えば６つ）の硬貨一時保留部を有していてもよい。そして、このように硬貨一時保留部４６が各金種に対応した複数（例えば６つ）の硬貨一時保留部を有している場合には、硬貨返却部４７も各金種に対応した複数（例えば６つ）の硬貨返却部を有していてもよい。
【００４１】
なお、本実施の形態では、硬貨リジェクト部４９の後方側（図５の右側）に硬貨返却部４７が設けられている。そして、図示されないロック機構が解除されることで、これら硬貨リジェクト部４９及び硬貨返却部４７を一体として筐体１１から引き出すことができ、硬貨リジェクト部４９に収容された硬貨や硬貨返却部４７に返却された硬貨を取り出すことができるようになっている。
【００４２】
上述した硬貨収容カセット６６は、第一硬貨一時保留部４６ａで一時保留された硬貨を収容することができる第一硬貨収容カセット６６ａと、第二硬貨一時保留部４６ｂで一時保留された硬貨を収容することができる第二硬貨収容カセット６６ｂと、を有している。
【００４３】
本実施の形態では、筐体１１には、紙葉類収容カセット６１を筐体１１に対してロックするロック機構６４ａ，６４ｂが設けられ、硬貨収容カセット６６を筐体１１に対してロックするロック機構６９ａ，６９ｂが設けられ、収容部６０自体を筐体１１に対してロックするロック機構１９が設けられている。なお、紙葉類収容カセット６１及び硬貨収容カセット６６を取り出す際には、開閉扉６３を開放し、ロック機構１９が解除された状態で、紙葉類収容カセット６１及び硬貨収容カセット６６を含む下部ユニットを前方へ引き出すこととなる。そして、ロック機構６４ａが解除されることで第一紙葉類カセット６１ａを上方へ取り出すことができ、ロック機構６４ｂが解除されることで第二紙葉類カセット６１ｂを上方へ取り出すことができ、ロック機構６９ａが解除されることで第一硬貨収容カセット６６ａを上方へ取り出すことができ、ロック機構６９ｂが解除されることで第二硬貨収容カセット６６ｂを上方へ取り出すことができるようになる。
【００４４】
本実施の形態では、操作表示部７１を操作することで、第１管理権限を有する者（例えば店舗の店員）によって紙葉類収容カセット６１に収容された紙葉類及び硬貨収容カセット６６に収容された硬貨を回収することができる第１モードと、第２管理権限を有する者（例えば警装会社の社員）によって紙葉類収容カセット６１に収容された紙葉類及び硬貨収容カセット６６に収容された硬貨を回収することができる回収することができる第２モードとを、適宜切り換えることができるようになっていてもよい。
【００４５】
上述した紙葉類収容カセット６１に収容された紙幣、商品券等の紙葉類と、硬貨収容カセット６６に収容された硬貨が、例えば警送会社によって回収されて、現金センター等に搬送されることとなる。
【００４６】
ところで、上述した紙葉類受入部２１及び紙葉類繰出部２２、並びに、硬貨受入部４１及び硬貨繰出部４２が、特許請求の範囲の「入金部」としての役割を果たす。また、上述した紙葉類識別部２５及び硬貨識別部４５が特許請求の範囲の「識別部」としての役割を果たす。
【００４７】
図４に示すように、有価媒体処理装置１００は、筐体１１の上方に設置され、タッチパネル等からなり、様々な情報を表示するとともに入金者等の操作者からの入力を受け付ける操作表示部７１と、正面側から見た場合に当該操作表示部７１の右側に設置され、カード等の記録媒体に記録された情報を取得する読取部７５と、を備えている。読取部７５で取得される情報には、少なくとも入金部２１，２２，４１，４２に入金された紙幣、商品券等の紙葉類と硬貨の入金者、又は、入金部２１，２２，４１，４２に入金された紙幣、商品券等の紙葉類と硬貨の回収元を特定する入金特定情報が含まれている。なお、本実施の形態の操作表示部７１が特許請求の範囲に記載された「表示部」の役割を果たすこととなり、本実施の形態の読取部７５が特許請求の範囲に記載された「取得部」の役割を果たすこととなる。ちなみに、本実施の形態では、操作表示部７１から例えば入金者のＩＤ番号やＰＯＳレジスタ２５０の番号等を手入力することもでき、上述した入金特定情報を取得することができる。このため、本実施の形態では操作表示部７１も特許請求の範囲に記載された「取得部」の役割を果たすこととなる。なお、本実施の形態において「操作者」は有価媒体処理装置１００を操作する者のことを意味し、入金者、後述する出金者及び後述する両替者の上位概念として用いられる。
【００４８】
図６に示すように、有価媒体処理装置１００は、入金特定情報に紐づけて入金情報を記憶するだけでなく、識別情報（識別辞書）、分類パターン等の様々な情報を記憶する記憶部８０と、パソコン等の外部装置との接続に用いられるインターフェース９０と、紙葉類処理部２０を制御する紙葉類制御部３０と、硬貨処理部４０を制御する硬貨制御部５０と、ロック機構１９，６４ａ，６４ｂ，６９ａ，６９ｂに対する施錠及び解錠を制御するロック制御部８４と、有価媒体処理装置１００の全体を制御する全体制御部７０と、を備えている。そして、全体制御部７０に、操作表示部７１、読取部７５、記憶部８０、インターフェース９０、プリンタ等からなる印刷部８２、紙葉類制御部３０及び硬貨制御部５０の各々が接続されている。また、紙葉類制御部３０には、紙葉類識別部２５、紙葉類搬送部２３、紙葉類操出部２２、紙葉類分岐部３９、紙葉類リジェクト部２９、紙葉類一時保留部２６、紙葉類スタッカ２８等が接続されている。また、硬貨制御部５０には、硬貨搬送部４３、硬貨識別部４５、硬貨操出部４２、硬貨一時保留部４６、硬貨分岐部５９、硬貨返却部４７、硬貨リジェクト部４９等が接続されている。全体制御部７０は当該全体制御部７０に接続された各構成要素から情報を取得したり指令を与えたりするようになり、紙葉類制御部３０は当該紙葉類制御部３０に接続された各構成要素から情報を取得したり指令を与えたりするようになり、硬貨制御部５０は当該硬貨制御部５０に接続された各構成要素から情報を取得したり指令を与えたりするようになっている。
【００４９】
本実施の形態の全体制御部７０は、同一の入金特定情報からなる入金情報を集計して入金集計情報を生成する役割も果たしており、特許請求の範囲の「集計部」としての役割を果たしている。なお、上述したように入金特定情報は、入金者のＩＤ番号やＰＯＳレジスタ２５０の番号等からなるが、全体制御部７０は、同一のＩＤ番号からなる入金情報を集計して入金集計情報を生成することもできるし、同一のＰＯＳレジスタ２５０の番号からなる入金情報を集計して入金集計情報を生成することもできる。同一のＩＤ番号からなる入金情報を集計して入金集計情報を生成する場合には入金者毎の入金情報（売上情報）を後述する出力部で出力することができ、各入金者の責任を明確化することができる。他方、同一のＰＯＳレジスタ２５０の番号からなる入金情報を集計して入金集計情報を生成する場合にはＰＯＳレジスタ２５０毎の入金情報（売上情報）を出力部で出力することができ、ＰＯＳレジスタ２５０毎の売上金額を把握することができる。
【００５０】
本実施の形態の有価媒体処理装置１００は、図６に示すように、入金者のメールアドレス等の予め設定されたアドレスに全体制御部７０で生成された入金集計情報を含む様々な情報を送信するデータ送信部８１を備えていてもよい。このデータ送信部８１は全体制御部７０に接続されている。
【００５１】
本実施の形態では、操作表示部７１、印刷部８２及びデータ送信部８１の少なくともいずれか１つで、全体制御部７０で生成された入金集計情報が出力されるようになっている。このため、これら操作表示部７１、印刷部８２及びデータ送信部８１の少なくともいずれか１つが特許請求の範囲の「出力部」としての役割を果たすこととなる。本実施の形態の操作表示部７１、印刷部８２及びデータ送信部８１の少なくともいずれか１つは、上述した入金集計情報以外に、個々の入金取引に関する入金個別情報も出力してもよい。この際、入金個別情報と入金集計情報とを別々に出力してもよいが、入金個別情報と入金集計情報とを一つの情報として出力してもよい。仮に出力部として印刷部８２が採用される場合には、印刷部８２は入金個別情報と入金集計情報とを一枚のジャーナル等の印刷物に印刷してもよい。
【００５２】
操作表示部７１が入金集計情報及び／又は入金個別情報を出力する場合には、操作表示部７１から何らの操作も行われないときに、入金集計情報及び／又は入金個別情報を所定時間（例えば１分）だけ表示し、自動で入金集計情報及び／又は入金個別情報の表示を停止する態様を採用してもよい。この場合には、有価媒体処理装置１００を利用して入金集計情報や入金個別集計情報を確認した操作者がログアウト等をせずに当該有価媒体処理装置１００から離れてしまった場合でも、他の操作者に操作表示部７１で表示された入金集計情報及び／又は入金個別情報が見られてしまうことを防止することができる点で好ましい。なお、所定時間内であっても、新たな入金特定情報が入力された際には、入金集計情報等の表示を停止する。
【００５３】
本実施の形態の全体制御部７０は、最新の取引と同じ入金特定情報からなる入金情報を集計して入金集計情報を生成してもよい。この場合には、最新の入金処理を行った者と同じ入金特定情報からなる入金情報が集計されて、操作表示部７１に表示されることとなる。このため、入金処理を行った直後で、入金者が当該入金者又は同じ回収元で集計された入金情報を操作表示部７１で確認することができる。
【００５４】
また、本実施の形態では、読取部７５又は操作表示部７１から入金特定情報が取得されて、つまり操作者が有価媒体処理装置１００にログインすると、読取部７５又は操作表示部７１で取得された入金特定情報に紐付けられた入金集計情報を、操作表示部７１、印刷部８２及びデータ送信部８１の少なくともいずれか１つが出力してもよい。このような態様を採用した場合には、入金処理を行ったときだけでなく、あらゆるタイミングで、入金特定情報に紐付けられた入金集計情報を操作者が確認することができる。
【００５５】
また、本実施の形態の全体制御部７０は、例えば精算業務を行うタイミングに合わせて「当日」「３日」といった所定期間の入金情報を集計して入金集計情報を生成してもよい。仮に所定期間が「当日」と設定されている場合には、入金者が、その日に当該入金者が入金した入金集計情報や同じ回収元から回収して入金した入金集計情報を確認することができる。ちなみに、この所定期間は適宜変更できるようになっていてもよく、例えば、「今週」、「今月」といったあらゆる期間を設定できるようになってもよい。このような態様を採用した場合には、例えば統計を取りたい等のような顧客のニーズに沿うことができる点で有益である。
【００５６】
また、上述した入金特定情報に店舗情報、部門情報、売り場情報等の総括情報が含まれてもよい。このような入金特定情報が総括情報を含む場合には、全体制御部７０が同じ総括情報からなる入金集計情報を集計し、操作表示部７１、印刷部８２及びデータ送信部８１の少なくともいずれか１つで同じ総括情報からなる入金集計情報を出力できるようにしてもよい。例えば、売り場情報が入力された場合には、当該売り場に設置される複数組のＰＯＳレジスタ２５０及び貨幣釣銭機２００からそれぞれ回収されて有価媒体処理装置１００に入金された複数の入金処理について、入金集計情報を生成して出力する。このような態様によれば、例えば店舗毎、部門毎、売り場毎の統計を取ることができる点で有益である。
【００５７】
《方法》
次に、本実施の形態の有価媒体処理装置１００を用いた有価媒体処理方法について説明する。
【００５８】
まず、入金者が貨幣釣銭機２００や自動販売機３００等から回収した紙幣、商品券等の紙葉類及び硬貨等を本実施の形態の有価媒体処理装置１００まで持ち運ぶ（図１乃至図３参照）。
【００５９】
次に、読取部７５にカード等の記録媒体を通すか、又は、操作表示部７１から入金者のＩＤ番号やＰＯＳレジスタ２５０の番号等を手入力することで認証処理を行う（図７Ａ（ａ）参照）。その後で、操作表示部７１から入金処理を行うことを選択する。図７Ａ（ａ）で示した態様では、読取部７５にＰＯＳレジスタ２５０の番号に関する情報を含むカード等の記録媒体を通すか、操作表示部７１からＰＯＳレジスタ２５０の番号を手入力する態様となっている。操作表示部７１からＰＯＳレジスタ２５０の番号を手入力する場合には、図７Ａ（ｂ）に示す画面が操作表示部７１に表示される。他方、読取部７５にＰＯＳレジスタ２５０の番号に関する情報を含むカード等の記録媒体が通された場合には、図７Ａ（ｂ）は表示されず、図７Ｂ（ａ）の画面に遷移される。
【００６０】
次に、紙幣、商品券等の紙葉類を紙葉類受入部２１に投入し、硬貨を硬貨受入部４１に投入する（図４参照）。そして、入金者が操作表示部７１に表示された入金開始ボタンを押下することで、紙葉類受入部２１に投入された紙幣、商品券等の紙葉類が紙葉類繰出部２２によって筐体１１内に繰り出され、硬貨受入部４１に投入された硬貨が硬貨繰出部４２によって筐体１１内に繰り出される（図５参照）。紙葉類繰出部２２によって筐体１１内に繰り出された紙幣、商品券等の紙葉類は、紙葉類識別部２５による識別を経て、紙葉類識別部２５で正常に識別されれば、紙葉類スタッカ２８及び紙葉類一時保留部２６のいずれかに搬送される。この際には、スタッカ２８にシャッタ２８ａは閉じられている。一例としては、紙幣が第二紙葉類一時保留部２６ｂで一時的に保留され、商品券が第一紙葉類一時保留部２６ａで一時的に保留される。別の例としては、紙幣が第一紙葉類一時保留部２６ａ及び第二紙葉類一時保留部２６ｂで一時的に保留され、商品券が紙葉類スタッカ２８で一時的に保留される。さらに別の例としては、商品券が第一紙葉類一時保留部２６ａ及び第二紙葉類一時保留部２６ｂで一時的に保留され、紙幣が紙葉類スタッカ２８で一時的に保留される。さらに別の例としては、紙幣のうち釣銭準備金が第一紙葉類一時保留部２６ａで一時的に保留され、紙幣のうち売上金が第二紙葉類一時保留部２６ｂで一時的に保留される。他方、硬貨繰出部４２によって筐体１１内に繰り出された硬貨は硬貨識別部４５による識別を経て、硬貨識別部４５で正常に識別されれば、硬貨一時保留部４６に搬送される。なお、硬貨についても、硬貨のうち釣銭準備金が第一硬貨一時保留部４６ａで一時的に保留され、硬貨のうち売上金が第二硬貨一時保留部４６ｂで一時的に保留されてもよい。
【００６１】
なお、紙葉類識別部２５で識別できない紙葉類は紙葉類搬送部２３で紙葉類リジェクト部２９まで搬送されて筐体１１から外部に繰り出され、硬貨識別部４５で識別できない硬貨はリジェクトシュート４９ａを落下して硬貨リジェクト部４９へと導かれる。
【００６２】
上述のような工程を経た後で、一時的に保留された紙幣及び硬貨の金種別枚数や、商品券の枚数、金額別枚数、発行元別枚数等が操作表示部７１に表示される（図７Ｂ（ａ）−（ｃ）参照）。図７Ｂに示す態様では、例えば「当日」に同じ入金特定情報（例えば入金者の識別情報、ＰＯＳレジスタの番号又は入金者の識別情報及びＰＯＳレジスタの番号の両方）として入金された金種別枚数、入金合計等を含む入金集計情報も操作表示部７１に表示されている。より具体的には、図７Ｂ（ａ）に示すように、今回入金された合計金額が「今回計」として表示され、前回までに入金された合計金額が「前回計」として表示され、これらの総合計が「合計」として表示されている。なお、例えば「当日」に同じ入金特定情報で入金された紙幣の金種別枚数、硬貨の金種別枚数及び商品券の枚数、金額別枚数、発行元別枚数等は、所定のタブを押下することで、適宜切り替えられて表示される。図７Ｂ（ｂ）は「硬貨」のタブを押下した際の画面を示し、図７Ｂ（ｃ）は「項目」のタブを押下した際の画面を示している。なお、図示していないが、本実施の形態の操作表示部７１では、今回入金された金種別枚数と前回までに入金された金種別枚数の各々が表示できるようになっており、入金者は、今回入金された紙幣、硬貨及び商品券の合計金額と金種別枚数、前回までに入金された紙幣、硬貨及び商品券の合計金額と金種別枚数、並びに、現時点まで入金された総合計としての紙幣、硬貨及び商品券の合計金額と金種別枚数の各々を確認することができるようになっている。
【００６３】
そして、操作表示部７１での表示を視認した入金者によって、操作表示部７１に表示された完了ボタンが押下される。
【００６４】
このように完了ボタンが押下されると、読取部７５にカード等の記録媒体を通してログインした場合には入金処理が終了されることなる（図７Ｃ（ｂ）参照）。他方、操作表示部７１からＰＯＳレジスタ２５０の番号を手入力する態様してログインした場合には、操作表示部７１が再度ＰＯＳレジスタ２５０の番号等の入力を要求する（図７Ｃ（ａ）参照）。この要求にしたがって操作表示部７１からログイン時と同一のＰＯＳレジスタ２５０の番号等が再度入力されると、一時的に保留された紙幣、商品券等の紙葉類は紙葉類収容カセット６１に収容され、一時的に保留された硬貨は硬貨収容カセット６６に収容されて、入金処理が終了されることなる（図７Ｃ（ｂ）参照）。なお、このようにＰＯＳレジスタ２５０の番号等の再入力を要求するのは、手入力してログインした場合には、誤ってＰＯＳレジスタ２５０の番号等の識別情報が入力された可能性があることから、実際と異なる識別情報に紐付けられて紙幣、商品券等の紙葉類や硬貨が収容カセット６１，６６に収容されることを防止するためである。再入力時に、ログイン時と異なる番号等が入力された場合には、警告画面を表示して、改めて正しい番号等を入力させたり、保留された貨幣を返却して、入金処理をログインからやり直させたりする。
【００６５】
図７Ｃに示す態様では、このように入金処理が終了すると、操作表示部７１に「合計印字」というボタンが表示されることとなる（図７Ｃ（ｃ）参照）。そして、入金者が、この「合計印字」を押下すると、例えば「当日」（所定期間）に同じ入金特定情報（例えば入金者の識別情報、ＰＯＳレジスタの番号又は入金者の識別情報及びＰＯＳレジスタの番号の両方）として入金された金種別枚数、入金合計等を含む入金集計情報が印刷部８２から印刷される。ちなみに、出力部としてデータ送信部８１が採用されている場合には、この時点で、例えば「送信」というボタンが表示され、この「送信」を押下することで、データ送信部８１が入金者のメールアドレス等の予め設定されたアドレスに送信することになる。なお、「合計印字」を押下する前後で「枚数」を入力することができるようになってもよく、この場合には必要な「枚数」を入力することで、必要な枚数の印刷物が印刷されることとなる。
【００６６】
入金集計情報の印刷部８２による印刷は何回でも行うことができ、例えば「合計印字」を押下する度に、入金集計情報を含んだジャーナル等の印刷物が印刷部８２で印刷されてもよい。ちなみに、同じ入金集計情報を含んだ印刷物を複数回にわたり印刷する場合には、各印刷物に通し番号（何枚目の印刷であるかが分かる番号）が印刷されてもよい。
【００６７】
ちなみに、読取部７５又は操作表示部７１から入金特定情報が取得されて、つまり操作者が有価媒体処理装置１００にログインして、当該入金特定情報に紐付けられた入金集計情報を印刷部８２が出力する態様を採用した場合には、操作者が有価媒体処理装置１００にログインした段階で操作表示部７１に上述した「合計印字」のボタンが表示されることとなる。そして、この「合計印字」を押下することで、例えば「当日」（所定期間）に同じ入金特定情報として入金された金種別枚数、入金合計等を含む入金集計情報が印刷部８２から印刷される。
【００６８】
ジャーナル等の印刷物に入金個別情報が印刷される場合には、印刷物に、例えば図８（ａ）に示すように、入金処理を行った日時、売上日、店Ｎｏ、部門Ｎｏ又は部門名称、レジＮｏ又はレジ名称、例えば所定期間である「当日」に入金処理を行った回数である「オープン回数」、紙幣に関する各金種の金種別枚数と合計金額と手入力であるか機械による識別であるかの区別、硬貨に関する各金種の金種別枚数と合計金額と手入力であるか機械による識別であるかの区別、紙幣の合計金額、硬貨の合計金額、入金されるべき金額を示した伝票計、商品券に関する金種、発行元等を含む項目に関する情報（本実施の形態において「項目」とは商品券のことを意味している。）、今回入金された合計金額である「今回計」、伝票計と「今回計」との差額等が印刷されている。なお、後述するように出金部３１，５１を備える場合には、印刷物には、出金した額を示す釣銭定額（図８（ａ）−（ｃ）参照）も印刷されてもよい。
【００６９】
また、ジャーナル等の印刷物に入金集計情報が印刷される場合には、上述した情報の他に、例えば図８（ｂ）に示すように、例えば所定期間である「当日」に同じ入金特定情報として前回までで入金された合計金額である「前回計」と、「今回計」を「前回計」に足し合わせた「総合計」も印刷されてもよい。また、例えば図８（ｃ）に示すように、例えば所定期間である「当日」に同じ入金特定情報として前回までで入金された貨幣の金種別枚数も印字されてもよい。
【００７０】
所定期間に複数回の入金処理が行われる場合について、図９及び図１０に示された例を用いて説明する。
【００７１】
図９で示す態様では、入金者Ａによって有価媒体処理装置１００に対して３回の入金処理が行われ、入金者Ａによる２回目の入金処理（入金（２））と３回目の入金処理（入金（４））との間に入金者Ｂによって当該有価媒体処理装置１００に対して１回目の入金処理（入金（３））が行われたものである。入金者Ａによる１回目、２回目及び３回目の入金処理（入金（１）（２）（４））の終了時には各回に関してジャーナル等の印刷物に入金個別情報が印刷される。また、入金者Ｂによる１回目の入金処理（入金（３））の終了時には、当該入金処理に関してジャーナル等の印刷物に入金個別情報が印刷される。そして、入金者Ａが３回目の入金処理で操作表示部７１に表示された「合計印字」を押下することで、入金者Ａが所定期間内（例えば「当日」）に入金した入金集計情報、つまり入金者Ａの１回目〜３回目までの入金（入金（１）（２）（４））を合計した情報がジャーナル等の印刷物に印刷される。
【００７２】
図１０で示す態様では、入金者Ａによって有価媒体処理装置１００に対して４回の入金処理が行われ、入金者Ａによる２回目の入金処理（入金（２））と３回目の入金処理（入金（４））との間に入金者Ｂによって当該有価媒体処理装置１００に対して１回目の入金処理（入金（３））が行われ、入金者Ａによる３回目の入金処理（入金（４））の後に入金者Ｃによって当該有価媒体処理装置１００に対して１回目の入金処理（入金（５））が行われたものである。入金者Ａによる１回目と２回目の入金処理（入金（１）（２））は「終了」を挟まずに連続して行われていることから、１回目と２回目とを合算した入金処理（入金（１）（２））と３回目の入金処理（入金（４））に関してジャーナル等の印刷物に入金個別情報が印刷され、入金者Ｂによる１回目の入金処理（入金（３））及び入金者Ｃによる１回目の入金処理（入金（５））の各々に関してジャーナル等の印刷物に入金個別情報が印刷される。図１０で示す態様では、入金者Ｃによる１回目の入金処理（入金（５））が終わった後で、入金者Ａが有価媒体処理装置１００にログインした態様となっている。そして、入金者Ａが操作表示部７１に表示された「合計印字」を押下することで、入金者Ａが所定期間内（例えば「当日」）に入金した入金集計情報、つまり入金者Ａの１回目〜３回目までの入金処理（入金（１）（２）（４））を合計した情報がジャーナル等の印刷物に印刷される。
【００７３】
《効果》
次に、上述した構成からなる本実施の形態によって達成される効果であって、まだ述べていない効果又はとりわけ重要な効果について説明する。
【００７４】
本実施の形態によれば、読取部７５又は操作表示部７１が、紙葉類受入部２１及び硬貨受入部４１で受け入れられた紙幣、商品券等の紙葉類と硬貨の入金者又は回収元を特定する入金特定情報を取得する。そして、全体制御部７０が同一の入金特定情報からなる入金情報を集計して入金集計情報を生成し、操作表示部７１、印刷部８２及びデータ送信部８１の少なくともいずれか１つがこのようにして生成された入金集計情報を出力する。このため、操作者は、入金者又は回収元に応じて合計いくらの売上金を入金したかを容易に把握することができる。この点、従来の貨幣処理装置では、売上金の合計を知るには、入金処理ごとに印刷されたジャーナル等の印刷物に基づいて実際に計算することとなるが、計算が面倒であるうえ、誤って計算してしまう可能性もあったことからすると、本実施の形態によって達成される効果は非常に有益なものである。なお、入金集計情報が貨幣の金種別枚数に関する情報を含む場合には、入金者又は回収元に応じて入金した貨幣の金種別枚数も把握することができる点で有益である。
【００７５】
また、本実施の形態で全体制御部７０が例えば「当日」といった所定期間の入金情報を集計して入金集計情報を生成する場合には、必要な期間で集計された入金集計情報を取得することができる点で好ましい。
【００７６】
なお、全体制御部７０が最新の取引と同じ入金特定情報からなり、所定期間の入金情報を集計して入金集計情報を生成してもよい。この場合には、入金処理を行った直後で、入金者が当該入金者又は同じ回収元に関して、例えば「当日」といった所定期間で集計された入金集計情報を操作表示部７１で確認することができる。
【００７７】
また、読取部７５又は操作表示部７１から入金特定情報が取得されて、つまり操作者が有価媒体処理装置１００にログインして、例えば「当日」といった所定期間で集計された入金集計情報を操作表示部７１で確認する態様を採用することもできる。この場合には、読取部７５又は操作表示部７１で取得された入金特定情報に紐付けられた入金集計情報であって、所定期間の入金情報を集計して生成された入金集計情報を、操作表示部７１、印刷部８２及びデータ送信部８１の少なくともいずれか１つが出力してもよい。この態様によれば、入金処理を行ったときだけでなく、あらゆるタイミングで、入金特定情報に紐付けられた入金集計情報であって、例えば「当日」といった所定期間で集計された入金集計情報を操作者が確認することができる。
【００７８】
なお、入金集計情報を印刷部８２が印刷する場合には、入金集計情報の印刷された印刷物を手元に保管して後の個々人の集計に利用することができる点で有益である。また、データ送信部８１が入金集計情報を入金者のメールアドレス等の予め設定されたアドレスに送信する場合には、紛失の可能性のある紙として保管することなく入金集計情報を手元（パソコン等）に保管することができ、後の個々人の集計に利用することができる点で有益である。また、入金集計情報を操作表示部７１が表示する場合には、簡易かつ迅速に入金集計情報を確認することができる点で有益である。
【００７９】
また、本実施の形態において、操作表示部７１、印刷部８２及びデータ送信部８１の少なくともいずれか１つが個々の入金取引に関する入金個別情報も出力する場合には、入金集計情報のみならず、各入金取引に対応した入金個別情報も操作者が取得することができる点で有益である。
【００８０】
［変形例］
上記では、一台の有価媒体処理装置１００で処理が行われる態様を用いて説明したが、これに限られることはなく、取得部１７５、記憶部１８０、集計部１７０及び出力部１８２のうちの少なくともいずれか一つが有価媒体処理装置１００以外の外部装置に設置されてもよい。つまり、有価媒体処理装置１００以外の外部装置に入金特定情報を取得する取得部１７５が設置されたり（図１１（ａ）参照）、有価媒体処理装置１００以外の外部装置に入金特定情報に紐づけて入金情報を記憶する記憶部１８０が設置されたり（図１１（ｂ）参照）、有価媒体処理装置１００以外の外部装置に同一の入金特定情報からなる入金情報を集計して入金集計情報を生成する集計部１７０が設置されたり（図１１（ｃ）参照）、有価媒体処理装置１００以外の外部装置に入金集計情報を出力する出力部１８２が設置されたり（図１１（ｄ）参照）する有価媒体処理システムを採用することもできる。このような態様を採用する場合には、有価媒体処理装置１００は、少なくとも貨幣を入金するための入金部２１，２２，４１，４２を含むこととなる。
【００８１】
また、少なくとも貨幣を入金するための入金部２１，２２，４１，４２を含む有価媒体処理装置１００が複数台設けられ、各有価媒体処理装置１００に接続された取得部１７５、記憶部１８０、集計部１７０及び出力部１８２が設けられてもよい。これら取得部１７５、記憶部１８０、集計部１７０及び出力部１８２の全てがいずれか一つ以上の有価媒体処理装置１００に設置されてもよいし、これら取得部１７５、記憶部１８０、集計部１７０及び出力部１８２の全てが有価媒体処理装置１００以外の外部装置に設置されてもよい。また、取得部１７５、記憶部１８０、集計部１７０及び出力部１８２のいずれかが有価媒体処理装置１００に設置され、取得部１７５、記憶部１８０、集計部１７０及び出力部１８２のうちの残りが有価媒体処理装置１００以外の外部装置に設置されてもよい。
【００８２】
上述した有価媒体処理システムでも、第１の実施の形態で詳しく説明した有価媒体処理装置１００と同様の効果を奏することができる。
【００８３】
また、第１の実施の形態で詳しく説明した有価媒体処理装置１００が複数台設けられ、一つの有価媒体処理装置１００がいわゆる親機として機能し、その他の有価媒体処理装置１００がいわゆる子機として機能してもよい（図１２参照）。この場合には、親機である有価媒体処理装置１００の記憶部８０で入金特定情報に紐づけた入金情報が記憶され、親機である有価媒体処理装置１００の全体制御部７０が同一の入金特定情報からなる入金情報を集計して入金集計情報を生成するようにしてもよい。この態様を採用した場合には、入金者によって操作される各有価媒体処理装置１００の読取部７５又は操作表示部７１から入金特定情報が取得され、各有価媒体処理装置１００の操作表示部７１又は印刷部８２で入金集計情報が出力されることとなる。なお、出力部としてデータ送信部８１が利用される場合には、親機である有価媒体処理装置１００のデータ送信部８１が入金集計情報を出力してもよいし、入金者によって操作される有価媒体処理装置１００のデータ送信部８１が入金集計情報を出力してもよい。
【００８４】
また、図１乃至図３に示すように、複数の有価媒体処理装置１００が管理装置１５０に接続されており、この管理装置１５０が記憶部１８０及び集計部１７０を有していてもよい。この場合には、管理装置１５０の記憶部１８０で入金特定情報に紐づけた入金情報が記憶され、管理装置１５０の集計部１７０が同一の入金特定情報からなる入金情報を集計して入金集計情報を生成することとなる。この態様を採用した場合には、入金者によって操作される各有価媒体処理装置１００の読取部７５又は操作表示部７１から入金特定情報が取得され、各有価媒体処理装置１００の操作表示部７１又は印刷部８２で入金集計情報が出力されることとなる。なお、この態様でも、管理装置１５０がデータ送信部からなる出力部１８２を有する場合には、管理装置１５０のデータ送信部が入金集計情報を出力してもよいし、入金者によって操作される有価媒体処理装置１００のデータ送信部８１が入金集計情報を出力してもよい。
【００８５】
上述した変形例の一例について、図１３を用いて説明する。
【００８６】
図１３で示す態様では、入金者Ａによってある有価媒体処理装置１００（図１３では１号機として示している。）に対して２回の入金処理が行われ、当該ある有価媒体処理装置１００に対する入金者Ａによる１回目の入金処理（入金（１））と２回目の入金処理（入金（５））との間に入金者Ｂによって当該ある有価媒体処理装置１００に対して１回目の入金処理（入金（２））が行われたものである。また、入金者Ａによって別の有価媒体処理装置１００（図１３では３号機として示している。）に対して１回の入金処理（入金（３））が行われ、当該別の有価媒体処理装置１００に対する入金者Ａによる１回の入金処理（入金（３））の後に入金者Ｃによって当該別の有価媒体処理装置１００に対して２回の入金処理（入金（４）（６））が行われたものである。入金者Ａによるある有価媒体処理装置１００に対する２回の入金処理（入金（１）（５））及び別の有価媒体処理装置１００に対するに対する１回の入金処理（入金（３））、入金者Ｂによる１回目の入金処理（入金（２））、並びに、入金者Ｃによる１回目の入金処理（入金（４））及び２回目の入金処理（入金（６））の各々に関してジャーナル等の印刷物に入金個別情報が印刷される。そして、入金者Ａによるある有価媒体処理装置１００に対する２回目の入金処理（入金（５））を行った際に操作表示部７１に表示された「合計印字」を押下することで、入金者Ａが所定期間内（例えば「当日」）に入金した入金集計情報、つまり入金者Ａの合計３回の入金処理（入金（１）（３）（５））を合計した情報がジャーナル等の印刷物に印刷される。また、同様に、入金者Ｃによる別の有価媒体処理装置１００に対する２回目の入金処理（入金（６））を行った際に操作表示部７１に表示された「合計印字」を押下することで、入金者Ｃが所定期間内（例えば「当日」）に入金した入金集計情報、つまり入金者Ｃの合計２回の入金処理（入金（４）（６））を合計した情報がジャーナル等の印刷物に印刷される。
【００８７】
ところで、上記では、出力部として操作表示部７１、印刷部８２及びデータ送信部８１の少なくともいずれか１つを用いる態様を利用して説明してきたが、これに限られることはなく、有価媒体処理装置１００は、ＩＣカードやＵＳＢメモリ等の記録媒体に入金集計情報、入金個別情報を含む様々な情報を出力するようになっていてもよい。記録媒体としてＩＣカード等のカードを採用する場合には、有価媒体処理装置１００が、全体制御部７０に接続され、例えばＩＣカード等のカードに入金集計情報、入金個別情報を含む様々な情報を記録する記録部９２（図６参照）を有したり、上述した読取部７５がＩＣカード等のカードに記録された情報を読み取るだけでなくＩＣカード等のカードに情報を記録することもできる記録読取部から構成されたりする。また、記録媒体としてＵＳＢメモリを採用する場合には、有価媒体処理装置１００のインターフェース９０が、ＵＳＢメモリを受け付ける受付部９１（図６参照）を有することとなる。
【００８８】
第２の実施の形態
次に、本発明の第２の実施の形態について説明する。なお、本実施の形態で示す装置の構成は、一例であることには留意が必要である。
【００８９】
第１の実施の形態では、有価媒体入金装置及び有価媒体入金システムを用いた態様であったが、第２の実施の形態では、有価媒体を出金する出金部３１，５１をさらに備えた有価媒体入出金機４００、及び、当該有価媒体入出金機を用いた有価媒体入出金システムを用いた態様となっている。なお、本実施の形態では、図１４に示すように、出金部３１，５１は、紙幣、商品券等の紙葉類を出金するための紙葉類出金部３１と、硬貨を出金するための硬貨出金部５１と、を有している。
【００９０】
［紙葉類処理部］
より具体的には、本実施の形態の有価媒体入出金機４００の紙葉類処理部２０は、複数（図１５に示す態様では３つ）のリサイクル式紙葉類収納部３６（３６ａ〜３６ｃ）を有している。各リサイクル式紙葉類収納部３６は、正逆両方向に回転可能なドラム３６ｐをそれぞれ有しており、各ドラム３６ｐに一対のテープが巻き取られて収納される。紙葉類搬送部２３から各リサイクル式紙葉類収納部３６に送られた紙葉類は、一対のテープの間に挟まれた状態で、１枚ずつ順次ドラム３６ｐにより巻き取られる。他方、ドラム３６ｐを逆転させると、巻き取られた紙葉類が１枚ずつ紙葉類搬送部２３に送られる。このようにリサイクル式紙葉類収納部３６から紙葉類搬送部２３に繰り出された紙葉類は、紙葉類搬送部２３によって紙葉類出金部３１まで搬送され当該紙葉類出金部３１から出金可能となっている。ところで、各リサイクル式紙葉類収納部３６は上述のようなテープ式である必要はなく、例えば、各リサイクル式紙葉類収納部３６はスタッカ式（積層式）のものであってもよい。
【００９１】
なお本実施の形態では、入金リジェクト紙幣は上述した紙葉類出金部３１に搬送されることとなる。本実施の形態の紙葉類処理部２０は、この紙葉類出金部３１の他に、紙葉類処理部２０内に取り込まれた紙葉類のうち紙葉類収容カセット６１に収容されない紙葉類を紙葉類処理部２０の外部に返却する紙葉類返却口３３を備えている。この紙葉類返却口３３には、紙葉類保留部３５が設けられ、この紙葉類保留部３５には紙葉類搬送部２３から紙葉類が送られるようになっている。また、紙葉類返却口３３には開閉可能な扉３４が設けられている。紙葉類保留部３５にある紙葉類を返却する場合には、ロックが解除されて扉３４を開けることが可能となり、紙葉類保留部３５から紙葉類を取り出すことができるようになる。他方、紙葉類保留部３５にある紙葉類を紙葉類収容カセット６１に収納させる際には、この紙葉類収容カセット６１に設けられたステージが紙葉類保留部３５の一時保留板に載せられた紙葉類を迎えにいき、一時保留板が退避して紙葉類がステージ上に落下すると、ステージが下降し、当該ステージ上の紙葉類を上から押さえ部材で押さえ、その状態で、当該紙葉類が紙葉類収容カセット６１内に収容されることとなる。
【００９２】
［硬貨処理部］
本実施の形態の有価媒体入出金機４００の硬貨処理部４０は、筒状の上入れ上出しタイプからなり、複数（図１６に示す態様では６つ）のリサイクル式硬貨収納部５６（５６ａ〜５６ｆ）を有している。複数のリサイクル式硬貨収納部５６ａ〜５６ｆは、例えば金種別に硬貨を積層状態で一時的に収納できるようになっている。
【００９３】
本実施の形態の硬貨処理部４０は、硬貨受入部４１に連通し、硬貨受入部４１から受け入れられた硬貨を一時的に貯留するとともに、この貯留された硬貨を後述する硬貨搬送部４３に繰り出す硬貨繰出部５３を有している。
【００９４】
本実施の形態では、硬貨搬送部４３に７つの硬貨分岐部５９が設けられている。７つの硬貨分岐部５９のうち最も上流側にある硬貨分岐部５９（オーバーフロー用の硬貨分岐部５９）は、硬貨搬送部４３から後述する横方向搬送部５８に直接硬貨を送るために設けられている。また、上流側から２番目〜７番目の硬貨分岐部５９は、それぞれ各リサイクル式硬貨収納部５６ａ〜５６ｆに対応するものである。
【００９５】
各リサイクル式硬貨収納部５６の上部には、硬貨を一時的に保留する金種別硬貨一時保留部４６’が設けられている。７つの硬貨分岐部５９のうち最も上流側にある硬貨分岐部５９以外の各硬貨分岐部５９を介して硬貨搬送部４３から落下した硬貨は、まず金種別硬貨一時保留部４６’により一時的に保留されるようになっている。そして、入金者が例えば操作表示部７１に表示された完了ボタンを押下することで、この金種別硬貨一時保留部４６’に保留された硬貨が各リサイクル式硬貨収納部５６に収納されることとなる。また、この金種別硬貨一時保留部４６’は図示しない投出部材を有しており、この投出部材により、金種別硬貨一時保留部４６’に保留された硬貨を後述する横方向搬送部５８上に投出することもできるようになっている。一方、各リサイクル式硬貨収納部５６内に収納された硬貨がこのリサイクル式硬貨収納部５６から取り出される場合には、まずリサイクル式硬貨収納部５６の下部に設けられたステージ（図示せず）が上方に持ち上げられ、ステージ上の硬貨が金種別硬貨一時保留部４６’に送られ、この硬貨が金種別硬貨一時保留部４６’の投出部材により横方向搬送部５８上に投出されるようになっている。
【００９６】
硬貨処理部４０の内部には、略水平方向に延びる循環ベルト５８ａを有する横方向搬送部５８が設けられている。循環ベルト５８ａは図１６の時計回り及び反時計回りの両方に循環移動可能となっている。また、横方向搬送部５８の一端（図１６では左側の端部）は硬貨繰出部５３内に位置しており、横方向搬送部５８の他端（図１６では右側の端部）はシュート５７ｂの上部の近傍に位置している。循環ベルト５８ａが図１６における反時計回りに回転したときには、横方向搬送部５８上にある硬貨は硬貨繰出部５３に送られるようになっている。他方、循環ベルト５８ａが図１６における時計回りに回転したときには、横方向搬送部５８上にある硬貨はシュート５７ｂに送られ、当該シュート５７ｂ内を通過して硬貨保留部５７ａで保留されることとなる。この硬貨保留部５７ａに一時的に保留された硬貨は、貨幣収納部４０内に配置された硬貨収容カセット６６に送られるようになっている。
【００９７】
なお、リサイクル式硬貨収納部５６から繰り出され、金種別硬貨一時保留部４６’、横方向搬送部５８及び硬貨繰出部５３を経た硬貨は、硬貨繰出部５３から硬貨搬送部４３に繰り出され、当該硬貨搬送部４３から硬貨出金部５１に送られることで、出金されることとなる。
【００９８】
なお、本実施の形態では、リサイクル式紙葉類収納部３６及びリサイクル式硬貨収納部５６が特許請求の範囲に記載された「収納部」としての役割を果たすこととなる。
【００９９】
第２の実施の形態において、その他の構成は、第１の実施の形態と略同一の態様となっている。第２の実施の形態において、第１の実施の形態と同一部分には同一符号を付して詳細な説明は省略する。
【０１００】
本実施の形態でも、第１の実施の形態と同様の効果を奏することができる。第１の実施の形態で詳細に説明したことから、本実施の形態における効果の説明は、本実施の形態に固有の部分に留める。
【０１０１】
［出金について］
本実施の形態では、操作表示部７１、印刷部８２及びデータ送信部８１の少なくともいずれか１つが、出金部３１，５１から出金された貨幣の出金情報を出力することとなる。このため、本実施の形態によれば、操作者は、入金集計情報、入金個別情報等の入金情報のみならず、出金部３１，５１から出金された貨幣の出金情報も取得することができ、管理することができる。
【０１０２】
また、本実施の形態の有価媒体処理装置４００では、読取部７５又は操作表示部７１が、出金部３１，５１から貨幣を出金した出金者又は出金部３１，５１から出金した貨幣の補充先を特定する出金特定情報を取得してもよい。より具体的には、カード等の記録媒体が読取部７５で読み取られることで貨幣を出金した出金者又は出金部３１，５１から出金した貨幣の補充先を特定する出金特定情報を取得したり、操作表示部７１から例えば出金者のＩＤ番号や出金された貨幣が補充されるＰＯＳレジスタ２５０の番号等が手入力されることで貨幣を出金した出金者又は出金部３１，５１から出金した貨幣の補充先を特定する出金特定情報を取得したりすることができる。
【０１０３】
この場合には、記憶部８０が出金特定情報に紐づけて出金情報を記憶し、全体制御部７０が同一の出金特定情報からなる出金情報を集計して出金集計情報を生成する。そして、操作表示部７１、印刷部８２及びデータ送信部８１の少なくともいずれか１つが、全体制御部７０で生成された出金集計情報を出力する。このため、この態様では、操作者は、出金者又は補充先に応じて合計いくらの出金を行ったかを容易に把握することができる。なお、出金集計情報が貨幣の金種別枚数に関する情報を含む場合には、出金者又は補充先に応じて出金した貨幣の金種別枚数も把握することができる点で有益である。
【０１０４】
また、本実施の形態の操作表示部７１、印刷部８２及びデータ送信部８１の少なくともいずれか１つは、上述した出金集計情報以外に、個々の出金取引に関する出金個別情報も出力してもよい。このように個々の出金取引に関する出金個別情報も出力する場合には、出金集計情報のみならず、各出金取引に対応した出金個別情報も操作者が取得することができる点で有益である。
【０１０５】
また、操作表示部７１が出金集計情報及び／又は出金個別情報を出力する場合には、操作表示部７１から何らの操作も行われないときに、出金集計情報及び／又は出金個別情報を所定時間（例えば１分）だけ表示し、自動で出金集計情報及び／又は出金個別情報の表示を停止する態様を採用してもよい。この場合には、有価媒体処理装置４００を利用して出金集計情報や出金個別集計情報を確認した操作者がログアウト等をせずに当該有価媒体処理装置４００から離れてしまった場合でも、他の操作者に操作表示部７１で表示された出金集計情報及び／又は出金個別情報が見られてしまうことを防止することができる点で好ましい。
【０１０６】
また、本実施の形態の全体制御部７０は、例えば「当日」といった所定期間の出金情報を集計して出金集計情報を生成してもよい。この場合には、出金者が、例えば「当日」に当該出金者が出金した出金集計情報や同じ補充先に補充するために出金した出金集計情報を確認することができる。このような態様を採用した場合には、必要な期間で集計された出金集計情報を取得することができる点で好ましい。ちなみに、この所定期間は適宜変更できるようになっていてもよく、例えば、「今週」、「今月」といったあらゆる期間を設定できるようになってもよい。このような態様を採用した場合には、例えば統計を取りたい等のような顧客のニーズに沿うことができる点で有益である。
【０１０７】
また、本実施の形態の全体制御部７０は、最新の取引と同じ出金特定情報からなる出金情報を集計して出金集計情報を生成してもよい。この場合には、最新の出金処理を行った者と同じ出金特定情報からなる出金情報が集計されて、操作表示部７１に表示されることとなる。このため、出金処理を行った直後で、出金者が当該出金者又は同じ補充先で集計された出金情報を操作表示部７１で確認することができる。なおこの際、全体制御部７０が「所定期間」の出金情報を集計して出金集計情報を生成してもよい。この場合には、出金処理を行った直後で、出金者が当該出金者又は同じ補充先に関して、例えば「当日」といった所定期間で集計された出金集計情報を操作表示部７１で確認することができる。
【０１０８】
また、本実施の形態では、読取部７５又は操作表示部７１から出金特定情報が取得されると、つまり操作者が有価媒体処理装置４００にログインすると、読取部７５又は操作表示部７１で取得された出金特定情報に紐付けられた出金集計情報を、操作表示部７１、印刷部８２及びデータ送信部８１の少なくともいずれか１つが出力してもよい。このような態様を採用した場合には、出金処理を行ったときだけでなく、あらゆるタイミングで、出金特定情報に紐付けられた出金集計情報を操作者が確認することができる。なおこの際、「所定期間」の出金情報を集計して生成された出金集計情報を、操作表示部７１、印刷部８２及びデータ送信部８１の少なくともいずれか１つが出力するようにしてもよい。この場合には、出金処理を行ったときだけでなく、あらゆるタイミングで、出金特定情報に紐付けられた出金集計情報であって、例えば「当日」といった所定期間で集計された出金集計情報を操作者が確認することができる。
【０１０９】
また、上述した出金特定情報に店舗情報、部門情報、売り場情報等の総括情報が含まれてもよい。このような出金特定情報が総括情報を含む場合には、全体制御部７０が同じ総括情報からなる出金集計情報を集計し、操作表示部７１、印刷部８２、データ送信部８１等の出力部で同じ総括情報からなる出金集計情報を出力できるようにしてもよい。このような態様によれば、例えば店舗毎、部門毎、売り場毎の統計を取ることができる点で有益である。
【０１１０】
［両替について］
また、本実施の形態の有価媒体処理装置４００は、入金された貨幣の両替処理を行うこともでき、このように両替処理を行う場合には、操作表示部７１、印刷部８２及びデータ送信部８１の少なくともいずれか１つが、両替された貨幣の両替情報も出力する。このため、本実施の形態によれば、操作者は、入金集計情報等の入金情報のみならず、両替された貨幣の両替情報も取得することができ、管理することができる。ちなみに、上述した入金処理及び出金処理は精算業務に伴って行われるものであるが、両替処理は精算業務とは無関係に行われるものである。
【０１１１】
また、本実施の形態の有価媒体処理装置４００では、読取部７５又は操作表示部７１が、入金部２１，２２，４１，４２から貨幣を入金し出金部３１，５１から貨幣を出金した両替者又は両替元を特定する両替特定情報を取得してもよい。より具体的には、カード等の記録媒体が読取部７５で読み取られることで貨幣を両替しようとしている両替者又は両替元を特定する両替特定情報を取得したり、操作表示部７１から例えば両替者のＩＤ番号やＰＯＳレジスタ２５０の番号等が手入力されることで貨幣を両替しようとしている両替者又は両替元を特定する両替特定情報を取得したりすることができる。
【０１１２】
この場合には、記憶部８０が両替特定情報に紐づけて両替情報を記憶し、全体制御部７０が同一の両替特定情報からなる両替情報を集計して両替集計情報を生成する。そして、操作表示部７１、印刷部８２及びデータ送信部８１の少なくともいずれか１つが、全体制御部７０で生成された両替集計情報を出力する。このため、この態様では、操作者は、両替者又は両替元に応じて合計いくらの両替を行ったか、合計何回の両替を行ったか等を容易に把握することができる。なお、両替の回数や両替の合計金額で手数料が変わる場合もあるが、この態様では、このように両替の回数や両替の合計金額で手数料が変わる運用が採用されている場面では、より大きな効果を奏することとなる。なお、両替集計情報が貨幣の金種別枚数に関する情報を含む場合には、両替者又は両替元に応じて出金した貨幣の金種別枚数も把握することができる点で有益である。
【０１１３】
また、本実施の形態の操作表示部７１、印刷部８２及びデータ送信部８１の少なくともいずれか１つは、上述した両替集計情報以外に、個々の両替取引に関する両替個別情報も出力してもよい。このように個々の両替取引に関する両替個別情報も出力する場合には、両替集計情報のみならず、各出金取引に対応した両替個別情報も操作者が取得することができる点で有益である。
【０１１４】
また、操作表示部７１が両替集計情報及び／又は両替個別情報を出力する場合には、操作表示部７１から何らの操作も行われないときに、両替集計情報及び／又は両替個別情報を所定時間（例えば１分）だけ表示し、自動で両替集計情報及び／又は両替個別情報の表示を停止する態様を採用してもよい。この場合には、有価媒体処理装置４００を利用して両替集計情報や両替個別集計情報を確認した操作者がログアウト等をせずに当該有価媒体処理装置４００から離れてしまった場合でも、他の操作者に操作表示部７１で表示された両替集計情報及び／又は両替個別情報が見られてしまうことを防止することができる点で好ましい。
【０１１５】
また、本実施の形態の全体制御部７０は、例えば「当日」といった所定期間の両替情報を集計して両替集計情報を生成してもよい。この場合には、両替者が、例えば「当日」に当該両替者が両替した両替集計情報や同じ両替元に補充するために両替した両替集計情報を確認することができる。このような態様を採用した場合には、必要な期間で集計された両替集計情報を取得することができる点で好ましい。ちなみに、この所定期間は適宜変更できるようになっていてもよく、例えば、「今週」、「今月」といったあらゆる期間を設定できるようになってもよい。このような態様を採用した場合には、例えば統計を取りたい等のような顧客のニーズに沿うことができる点で有益である。
【０１１６】
また、本実施の形態の全体制御部７０は、最新の取引と同じ両替特定情報からなる両替情報を集計して両替集計情報を生成してもよい。この場合には、最新の両替処理を行った者と同じ両替特定情報からなる両替情報が集計されて、操作表示部７１に表示されることとなる。このため、両替処理を行った直後で、両替者が当該両替者又は同じ両替元で集計された両替情報を操作表示部７１で確認することができる。なおこの際、全体制御部７０が「所定期間」の両替情報を集計して両替集計情報を生成してもよい。この場合には、両替処理を行った直後で、両替者が当該両替者又は同じ両替元に関して、例えば「当日」といった所定期間で集計された両替集計情報を操作表示部７１で確認することができる。
【０１１７】
また、本実施の形態では、読取部７５又は操作表示部７１から両替特定情報が取得されると、つまり操作者が有価媒体処理装置４００にログインすると、読取部７５又は操作表示部７１で取得された両替特定情報に紐付けられた両替集計情報を、操作表示部７１、印刷部８２及びデータ送信部８１の少なくともいずれか１つが出力してもよい。このような態様を採用した場合には、両替処理を行ったときだけでなく、あらゆるタイミングで、両替特定情報に紐付けられた両替集計情報を操作者が確認することができる。なおこの際にも、「所定期間」の両替情報を集計して生成された両替集計情報を、操作表示部７１、印刷部８２及びデータ送信部８１の少なくともいずれか１つが出力するようにしてもよい。この場合には、両替処理を行ったときだけでなく、あらゆるタイミングで、両替特定情報に紐付けられた両替集計情報であって、例えば「当日」といった所定期間で集計された両替集計情報を操作者が確認することができる。
【０１１８】
また、上述した両替特定情報に店舗情報、部門情報、売り場情報等の総括情報が含まれてもよい。このような両替特定情報が総括情報を含む場合には、全体制御部７０が同じ総括情報からなる両替集計情報を集計し、操作表示部７１、印刷部８２、データ送信部８１等の出力部で同じ総括情報からなる両替集計情報を出力できるようにしてもよい。このような態様によれば、例えば店舗毎、部門毎、売り場毎の統計を取ることができる点で有益である。
【０１１９】
また、本実施の形態でも、第１の実施の形態の変形例で示したような態様を採用することができる。例えば、本実施の形態でも、取得部１７５、記憶部１８０、集計部１７０及び出力部１８２のうちの少なくともいずれか一つが有価媒体処理装置４００以外の外部装置に設置されてもよい。また、有価媒体処理装置４００が複数台設けられ、一つの有価媒体処理装置４００がいわゆる親機として機能し、その他の有価媒体処理装置４００がいわゆる子機として機能してもよい。
【０１２０】
本実施の形態の有価媒体処理装置４００では、第１の実施の形態と同様、入金集計情報を生成して出力することを前提として説明したが、これに限られることはなく、入金集計情報を生成して出力することなく、出金集計情報を生成して出力する態様を採用したり、両替集計情報を生成して出力する態様を採用したりすることできる。また、必ずしも、出金集計情報を生成して出力する態様と両替集計情報を生成して出力する態様の両方を採用する必要はなく、両替集計情報を生成して出力する態様だけを採用したり、出金集計情報を生成して出力する態様だけを採用したりすることもできる。
【０１２１】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１２２】
２１        紙葉類受入部（入金部）
２２        紙葉類繰出部（入金部）
３１        紙葉類出金部（出金部）
４１        硬貨受入部（入金部）
４２        硬貨繰出部（入金部）
５１        硬貨出金部（出金部）
７０        全体制御部（集計部）
７１        操作表示部（表示部、取得部）
７５        読取部（取得部）
８０        記憶部
８１        データ送信部
８２        印刷部
１００      有価媒体処理装置（有価媒体入金装置）
１７０      集計部
１７５      取得部
１８０      記憶部
１８２      出力部
４００      有価媒体処理装置（有価媒体入出金装置）
【図１】
2015141699.tif 000003
【図２】
2015141699.tif 000004
【図３】
2015141699.tif 000005
【図４】
2015141699.tif 000006
【図５】
2015141699.tif 000007
【図６】
2015141699.tif 000008
【図７Ａ】
2015141699.tif 000009
【図７Ｂ】
2015141699.tif 000010
【図７Ｃ】
2015141699.tif 000011
【図８】
2015141699.tif 000012
【図９】
2015141699.tif 000013
【図１０】
2015141699.tif 000014
【図１１】
2015141699.tif 000015
【図１２】
2015141699.tif 000016
【図１３】
2015141699.tif 000017
【図１４】
2015141699.tif 000018
【図１５】
2015141699.tif 000019
【図１６】
2015141699.tif 000020